(57)【要約】【課題】蓄電装置の劣化を抑制するとともに、ユーザに対する利便性の低下を防止することができる充電制御装置を提供すること。【解決手段】車両制御コントローラは、バッテリが充電されているときに（ステップＳ１）、バッテリの充電電力が所定の目標充電電力に達するまでの充電電力の上昇率をバッテリの状態に応じて決定し（ステップＳ６）、決定された上昇率で充電電力を目標充電電力になるまで変化させながらバッテリを充電するように充電スタンドを制御する（ステップＳ９、Ｓ１０）。【選択図】図３
2015228755.tif 000002
【特許請求の範囲】
【請求項１】
複数の電池によって構成される蓄電装置を充電する充電装置を制御する充電制御装置であって、
前記蓄電装置の充電電力が所定の目標充電電力に達するまでの前記充電電力の上昇率を前記蓄電装置の状態に応じて決定する上昇率決定部と、
前記蓄電装置が充電されているときに、前記上昇率決定部によって決定された上昇率で充電電力を前記目標充電電力になるまで変化させながら前記蓄電装置を充電するように前記充電装置を制御する制御部と、を備えた充電制御装置。
【請求項２】
前記蓄電装置の複数箇所の温度を検出する温度検出部が設けられ、
前記蓄電装置の状態は、前記温度検出部によって検出された温度のうち最低の温度を含む請求項１に記載の充電制御装置。
【請求項３】
前記複数の電池の電圧を計測する電圧計測部が設けられ、
前記蓄電装置の状態は、前記電圧計測部によって計測された電圧のうち最大の電圧を含む請求項１に記載の充電制御装置。
【請求項４】
前記蓄電装置の内部抵抗を推定する内部抵抗推定部を更に備え、
前記蓄電装置の状態は、前記内部抵抗推定部によって推定された内部抵抗を含む請求項１に記載の充電制御装置。
【請求項５】
前記蓄電装置の残存容量を推定する残存容量推定部を更に備え、
前記蓄電装置の状態は、前記残存容量推定部によって推定された残存容量を含む請求項１に記載の充電制御装置。
【請求項６】
前記上昇率決定部は、前記蓄電装置の状態に応じた上昇率のうち最小の上昇率を前記充電電力の上昇率として決定する請求項１ないし請求項５のいずれか１つの請求項に記載の充電制御装置。
【請求項７】
前記上昇率決定部は、前記蓄電装置の充電電力が前記目標充電電力を超えた場合に、前記蓄電装置の充電電力を減少させるように前記上昇率を決定する請求項１ないし請求項６のいずれか１つの請求項に記載の充電制御装置。
【発明の詳細な説明】
【技術分野】
【０００１】
本発明は、蓄電装置を充電する充電装置を制御する充電制御装置に関する。
【背景技術】
【０００２】
複数の電池（以下、「セル」ともいう）によって構成される蓄電装置（以下、「バッテリ」ともいう）を充電するときには、バッテリの劣化を防ぐために、各セルにかける電圧の値が所定値を超えないように充電電流を制御する必要がある。
【０００３】
例えば、特許文献１では、充電電流の制御を充電開始時と定電流制御時とに分けて、充電開始時の充電電流の初期値を定電流制御時の充電電流の目標値より低く設定し、定電流制御時になるまでの間、充電電流の値を初期値から目標値まで所定の電流増加率で徐々に増加させるものが提案されている。
【先行技術文献】
【特許文献】
【０００４】
【特許文献１】特開２０１２−６０７５７号公報
【発明の概要】
【発明が解決しようとする課題】
【０００５】
しかしながら、特許文献１で提案されたものは、電流増加率を実験的に定めているため、極低温下の使用又は長期使用によってバッテリの特性が低下しているときに合わせて電流増加率を定めた場合には、充電電流の値が目標値になるまでの時間がかかり、ユーザに対する利便性が低下してしまうといった課題があった。
【０００６】
また、特許文献１で提案されたものは、バッテリの特性が維持されているときに合わせて電流増加率を定めた場合には、バッテリの特性が低下したときに、各セルに所定値を超えた電圧がかかり、バッテリの劣化を促進させてしまうといった課題があった。
【０００７】
そこで、本発明は、このような課題を解決するためになされたもので、蓄電装置の劣化を抑制するとともに、ユーザに対する利便性の低下を防止することができる充電制御装置を提供することを目的とする。
【課題を解決するための手段】
【０００８】
本発明の第１の態様は、複数の電池によって構成される蓄電装置を充電する充電装置を制御する充電制御装置であって、蓄電装置の充電電力が所定の目標充電電力に達するまでの充電電力の上昇率を蓄電装置の状態に応じて決定する上昇率決定部と、蓄電装置が充電されているときに、上昇率決定部によって決定された上昇率で充電電力を目標充電電力になるまで変化させながら蓄電装置を充電するように充電装置を制御する制御部とを備えている。
【０００９】
本発明の第２の態様として、蓄電装置の複数箇所の温度を検出する温度検出部が設けられ、蓄電装置の状態は、温度検出部によって検出された温度のうち最低の温度を含むようにしてもよい。
【００１０】
本発明の第３の態様として、複数の電池の電圧を計測する電圧計測部が設けられ、蓄電装置の状態は、電圧計測部によって計測された電圧のうち最大の電圧を含むようにしてもよい。
【００１１】
本発明の第４の態様として、蓄電装置の内部抵抗を推定する内部抵抗推定部を更に備え、蓄電装置の状態は、内部抵抗推定部によって推定された内部抵抗を含むようにしてもよい。
【００１２】
本発明の第５の態様として、蓄電装置の残存容量を推定する残存容量推定部を更に備え、蓄電装置の状態は、残存容量推定部によって推定された残存容量を含むようにしてもよい。
【００１３】
本発明の第６の態様として、上昇率決定部は、蓄電装置の状態に応じた上昇率のうち最小の上昇率を充電電力の上昇率として決定するようにしてもよい。
【００１４】
本発明の第７の態様として、上昇率決定部は、蓄電装置の充電電力が目標充電電力を超えた場合に、蓄電装置の充電電力を減少させるように上昇率を決定するようにしてもよい。
【発明の効果】
【００１５】
このように、上記の第１の態様は、蓄電装置の充電電力が目標充電電力に達するまでの充電電力の上昇率を蓄電装置の状態に応じて決定することにより、充電電力が目標充電電力に達するまでに時間がかかることを防止するため、ユーザに対する利便性の低下を防止する。
【００１６】
また、上記の第１の態様は、蓄電装置の充電電力が目標充電電力に達するまでの充電電力の上昇率を蓄電装置の状態に応じて決定することにより、蓄電装置の特性が低下したときに、各電池に所定値を超えた電圧がかかることを防止するため、バッテリの劣化を抑制することができる。
【００１７】
したがって、上記の第１の態様は、蓄電装置の劣化を抑制するとともに、ユーザに対する利便性の低下を防止することができる。
【００１８】
上記の第２の態様は、蓄電装置の複数箇所の温度のうち最低の温度に応じて充電電力の上昇率を決定するため、蓄電装置の温度が低下した場合に、各電池に過剰な電圧をかけてしまうことを防止することができる。
【００１９】
上記の第３の態様は、各電池にかけられている電圧のうち最大の電圧に応じて充電電力の上昇率を決定するため、高い電圧が既にかけられている電池に対して、過剰な電圧をかけてしまうことを防止することができる。
【００２０】
上記の第４の態様は、蓄電装置の内部抵抗が相対的に高い場合に、各電池に過剰な電圧をかけてしまうことを防止することができるとともに、蓄電装置の内部抵抗が相対的に低い場合に、充電時間が長くなることを防ぎ、ユーザに対する利便性の低下を防止することができる。
【００２１】
上記の第５の態様は、蓄電装置の残存容量が多い場合に、各電池に過剰な電圧をかけてしまうことを防止することができるとともに、蓄電装置の残存容量が少ない場合に、充電時間が長くなることを防ぎ、ユーザに対する利便性の低下を防止することができる。
【００２２】
上記の第６の態様は、各電池に供給される充電電力の上昇率うち最小の上昇率で各電池に充電電力を供給するため、各電池に過剰な電圧をかけてしまうことを防止することができる。
【００２３】
上記の第７の態様は、蓄電装置の充電電力が目標充電電力を超えた場合に、蓄電装置の充電電力を減少させるように上昇率を決定する蓄電装置の充電電力が目標充電電力を超えたとしても、各電池にかかる電圧を所定圧に抑制することができる。これにより、上記の第７の態様は、各電池に過剰な電圧をかけてしまうことを防止することができる。
【図面の簡単な説明】
【００２４】
【図１】図１は、本発明の実施の形態に係る充電制御装置を搭載した車両の要部を示すハードウェア構成図である。
【図２】図２は、本発明の実施の形態に係る充電制御装置を示す機能ブロック図である。
【図３】図３は、本発明の実施の形態に係る充電制御装置によって実行される充電制御動作を示すフローチャートである。
【図４】図４は、本発明の実施の形態に係る充電制御装置によって実行される充電制御動作の変形例を示すフローチャートである。
【発明を実施するための形態】
【００２５】
以下、図面を参照して、本発明の実施の形態について詳細に説明する。図１にハードウェア構成を示し、図２に機能ブロックを示すように、本発明の実施の形態に係る充電制御装置を搭載した車両１は、複数の電池（以下、「セル」ともいう）２によって構成される蓄電装置（以下、「バッテリ」ともいう）３と、バッテリ３を監視及び制御するバッテリコントローラ４と、車両１を制御する車両制御コントローラ５とを含んで構成される。
【００２６】
本実施の形態において、車両１は、バッテリ３に充電された電力によってモータ等を駆動させて、その駆動力で走行する電気自動車によって構成されるものとする。しかしながら、車両１は、プラグインハイブリッド車両等のように、外部から供給される電力を駆動源とする車両であれば、いずれの形式の車両であっても適用することができる。
【００２７】
バッテリ３の各セル２には、端子間電圧を測定するための電圧センサ６が設けられている。バッテリ３の複数箇所には、バッテリ３の各箇所の温度を検出する温度センサ７が設けられている。バッテリ３の電力ラインには、バッテリ３に入出力される電流の値を測定するための電流センサ８が設けられている。
【００２８】
車両１には、充電口９が形成されている。充電口９には、充電ケーブル１０を接続することができるようになっている。充電ケーブル１０は、例えば、充電スタンド１１に接続される。
【００２９】
充電スタンド１１は、本実施の形態における充電装置を構成し、例えば、商用電源１２に接続される。充電スタンド１１は、充電回路１３と、充電回路１３を制御する充電制御コントローラ１４とを含んで構成される。充電回路１３は、商用電源１２から供給される交流の電力をレベルが可変な直流の電力に変換するようになっている。
【００３０】
充電制御コントローラ１４は、ＣＰＵ（Central Processing Unit）と、ＲＡＭ（Random Access Memory）と、ＲＯＭ（Read Only Memory）と、フラッシュメモリと、入力ポートと、出力ポートと、ネットワークモジュールとを備えたコンピュータユニットによって構成されている。
【００３１】
充電制御コントローラ１４のＲＯＭには、各種定数や各種マップ等とともに、当該コンピュータユニットを充電制御コントローラ１４として機能させるためのプログラムが格納されている。
【００３２】
すなわち、充電制御コントローラ１４において、ＣＰＵがＲＯＭに格納されたプログラムを実行することにより、当該コンピュータユニットは、充電制御コントローラ１４として機能する。
【００３３】
充電制御コントローラ１４の入出力ポートには、充電回路１３が接続されている。充電制御コントローラ１４は、車両制御コントローラ５から送信された制御信号をネットワークモジュールを介して受信し、受信した制御信号に応じて、充電回路１３に供給させる充電電力の大きさを調整したり、充電回路１３をオン又はオフしたりするようになっている。
【００３４】
バッテリコントローラ４は、ＣＰＵと、ＲＡＭと、ＲＯＭと、フラッシュメモリと、入力ポートと、出力ポートと、ネットワークモジュールとを備えたコンピュータユニットによって構成されている。
【００３５】
ネットワークモジュールは、車両制御コントローラ５等の他のＥＣＵ（Electronic Control Unit）とＣＡＮ（Controller Area Network）又はフレックスレイ等の規格に準拠した車内ＬＡＮ（Local Area Network）を介して通信を行うことができるようになっている。
【００３６】
バッテリコントローラ４のＲＯＭには、各種定数や各種マップ等とともに、当該コンピュータユニットをバッテリコントローラ４として機能させるためのプログラムが格納されている。
【００３７】
すなわち、バッテリコントローラ４において、ＣＰＵがＲＯＭに格納されたプログラムを実行することにより、当該コンピュータユニットは、バッテリコントローラ４として機能する。
【００３８】
バッテリコントローラ４の入力ポートには、電圧センサ６、温度センサ７及び電流センサ８等の各種センサが接続されている。バッテリコントローラ４は、各種センサから得られた情報に基づいて、バッテリ３を監視及び制御するとともに、バッテリに関する情報を車両制御コントローラ５に送信するようになっている。
【００３９】
バッテリコントローラ４は、温度センサ７によって検出されたバッテリ３の複数箇所の温度のうち、最低の温度をバッテリ３の温度として決定するようになっている。このように、バッテリコントローラ４は、温度センサ７と協働して温度検出部２０を構成する。
【００４０】
また、バッテリコントローラ４は、電圧センサ６によって検出された各セル２の電圧のうち、最大の電圧をバッテリ３にかかっている電圧として決定するようになっている。このように、バッテリコントローラ４は、電圧センサ６と協働して電圧計測部２１を構成する。
【００４１】
また、バッテリコントローラ４は、電流センサ８によって検出された電流値を積算することにより、バッテリ３の残存容量（State Of Charge、以下、「ＳＯＣ」ともいう）を推定するようになっている。このように、バッテリコントローラ４は、電流センサ８と協働して、バッテリ３のＳＯＣを推定する残存容量推定部２２を構成する。
【００４２】
また、バッテリコントローラ４は、電圧センサ６によって検出された電圧と、電流センサ８によって検出された電流値とに基づいて、バッテリ３の内部抵抗を算出し、温度センサ７によって検出された温度に応じて、算出したバッテリ３の内部抵抗を補正するようになっている。このように、バッテリコントローラ４は、電圧センサ６、温度センサ７及び電流センサ８と協働して、バッテリ３の内部抵抗を推定する内部抵抗推定部２３を構成する。
【００４３】
車両制御コントローラ５は、ＣＰＵと、ＲＡＭと、ＲＯＭと、フラッシュメモリと、入力ポートと、出力ポートと、ネットワークモジュールとを備えたコンピュータユニットによって構成されている。
【００４４】
ネットワークモジュールは、バッテリコントローラ４等の他のＥＣＵとＣＡＮ又はフレックスレイ等の規格に準拠した車内ＬＡＮを介して通信を行うことができるようになっている。
【００４５】
車両制御コントローラ５のＲＯＭには、各種定数や各種マップ等とともに、当該コンピュータユニットを車両制御コントローラ５として機能させるためのプログラムが格納されている。
【００４６】
すなわち、車両制御コントローラ５において、ＣＰＵがＲＯＭに格納されたプログラムを実行することにより、当該コンピュータユニットは、車両制御コントローラ５として機能する。
【００４７】
車両制御コントローラ５は、充電回路１３に供給させる電力の大きさを制御したり、充電回路１３をオン又はオフしたりする制御信号を充電制御コントローラ１４に送信するようになっている。
【００４８】
具体的には、車両制御コントローラ５は、バッテリ３の充電電力が目標充電電力に達するまでの充電電力の上昇率をバッテリ３の状態に応じて決定する上昇率決定部２５を構成する。ここで、目標充電電力は、予め実験的に定められた適合値であり、例えば、車両制御コントローラ５のＲＯＭに格納されている。
【００４９】
詳細には、車両制御コントローラ５のＲＯＭには、バッテリ３の温度、バッテリ３にかかっている電圧、バッテリ３の内部抵抗及びバッテリ３のＳＯＣと、充電電力の上昇率とが対応付けられた上昇率マップが格納されている。
【００５０】
車両制御コントローラ５は、バッテリ３が充電されているとき、すなわち、充電ケーブル１０が充電口９に接続され、充電スタンド１１がオンであるときに、ＲＯＭに格納された上昇率マップを参照して充電電力の上昇率を決定し、決定した上昇率で充電電力を変化させることを要求する制御信号を充電制御コントローラ１４に送信するようになっている。
【００５１】
ここで、車両制御コントローラ５は、バッテリ３の充電電力が目標充電電力を超えている場合には、バッテリ３の充電電力を減少させるように上昇率を決定するようになっている。
【００５２】
このように、車両制御コントローラ５は、決定した上昇率で充電電力を目標充電電力になるまで変化させながらバッテリ３を充電するように充電制御コントローラ１４を制御する制御部２６を構成する。
【００５３】
なお、車両制御コントローラ５は、充電電力の上昇率をセル２毎に決定してもよく、決定した充電電力の上昇率のうち最小の上昇率の充電電力を要求する制御信号を充電制御コントローラ１４に送信するようにしてもよい。
【００５４】
以上のように構成された本発明の実施の形態に係る充電制御装置の充電制御動作について図３を参照して説明する。なお、以下に説明する充電制御動作は、バッテリコントローラ４及び車両制御コントローラ５が作動している間、繰り返し実行される。
【００５５】
まず、車両制御コントローラ５は、充電が開始されているか否かを判断する（ステップＳ１）。すなわち、車両制御コントローラ５は、充電ケーブル１０が充電口９に接続され、充電スタンド１１がオンであるか否かを判断する。
【００５６】
ここで、充電が開始されていないと判断した場合には、車両制御コントローラ５は、充電制御動作を終了する。一方、充電が開始されていると判断した場合には、車両制御コントローラ５は、バッテリ３の複数箇所の最低温度を検出する（ステップＳ２）。ここで、車両制御コントローラ５は、温度センサ７によって検出されたバッテリ３の複数箇所の温度のうち、最低の温度をバッテリ３の温度として決定する。
【００５７】
次いで、車両制御コントローラ５は、各セルの最大電圧を検出する（ステップＳ３）。ここで、車両制御コントローラ５は、電圧センサ６によって検出された各セル２の電圧のうち、最大の電圧をバッテリ３にかかっている電圧として決定する。
【００５８】
次いで、車両制御コントローラ５は、バッテリコントローラ４にバッテリ３の内部抵抗を検出させる（ステップＳ４）。ここで、バッテリコントローラ４は、車両制御コントローラ５からの要求に応じて、電圧センサ６によって検出された電圧と、電流センサ８によって検出された電流値とに基づいて、バッテリ３の内部抵抗を算出し、温度センサ７によって検出された温度に応じて、算出したバッテリ３の内部抵抗を補正する。このように、バッテリコントローラ４、バッテリ３の内部抵抗を推定し、推定した内部抵抗を表す情報を車両制御コントローラ５に送信する。
【００５９】
次いで、車両制御コントローラ５は、バッテリコントローラ４にバッテリ３の残存容量、すなわち、ＳＯＣを検出させる（ステップＳ５）。ここで、バッテリコントローラ４は、車両制御コントローラ５からの要求に応じて、電流センサ８によって検出された電流値を積算することにより、バッテリ３のＳＯＣを推定し、推定したＳＯＣを表す情報を車両制御コントローラ５に送信する。
【００６０】
次いで、車両制御コントローラ５は、充電電力の上昇率を決定する（ステップＳ６）。ここで、車両制御コントローラ５は、上昇率マップを参照して、バッテリ３の温度、バッテリ３にかかっている電圧、バッテリ３の内部抵抗及びバッテリ３のＳＯＣに基づいて、充電電力の上昇率を決定する。
【００６１】
次いで、車両制御コントローラ５は、充電電力を算出する（ステップＳ７）。ここで、車両制御コントローラ５は、ステップＳ６で決定した上昇率で充電電力を変化させた充電電力を算出する。
【００６２】
次いで、車両制御コントローラ５は、目標充電電力が充電電力以上であるか否かを判断する（ステップＳ８）。ここで、目標充電電力が充電電力以上であると判断した場合には、車両制御コントローラ５は、ステップＳ６で決定した上昇率で充電電力を増加させることを要求する制御信号を充電制御コントローラ１４に送信する（ステップＳ９）。
【００６３】
一方、目標充電電力が充電電力以上でないと判断した場合には、車両制御コントローラ５は、ステップＳ６で決定した上昇率で充電電力を減少させることを要求する制御信号を充電制御コントローラ１４に送信する（ステップＳ１０）。
【００６４】
なお、図４に示すように、図３に示した充電制御動作は、ステップＳ７ないしステップＳ１０を変更してもよい。
【００６５】
ステップＳ６の処理を実行した後、車両制御コントローラ５は、目標充電電力から現在の充電電力を減じた差ｄＰを算出する（ステップＳ２１）。次いで、車両制御コントローラ５は、差ｄＰが０以上であるか否かを判断する（ステップＳ２２）。
【００６６】
ここで、差ｄＰが０以上であると判断した場合には、車両制御コントローラ５は、目標充電電力を超えない範囲で上昇率分増加させた充電電力を要求する制御信号を充電制御コントローラ１４に送信する（ステップＳ２３）。
【００６７】
すなわち、車両制御コントローラ５は、現在の充電電力をステップＳ６で決定した上昇率で増加させたときに、充電電力が目標充電電力以下となる場合には、現在の充電電力を上昇率で増加させた充電電力を要求する制御信号を充電制御コントローラ１４に送信する。
【００６８】
一方、車両制御コントローラ５は、現在の充電電力をステップＳ６で決定した上昇率で増加させたときに、充電電力が目標充電電力以下とならない場合には、充電電力として目標充電電力を要求する制御信号を充電制御コントローラ１４に送信する。
【００６９】
ステップＳ２２において、差ｄＰが０以上でないと判断した場合には、車両制御コントローラ５は、目標充電電力を下回らない範囲で上昇率分減少させた充電電力を要求する制御信号を充電制御コントローラ１４に送信する（ステップＳ２４）。
【００７０】
すなわち、車両制御コントローラ５は、現在の充電電力をステップＳ６で決定した上昇率で減少させたときに、充電電力が目標充電電力未満となる場合には、充電電力として目標充電電力を要求する制御信号を充電制御コントローラ１４に送信する。
【００７１】
一方、車両制御コントローラ５は、現在の充電電力をステップＳ６で決定した上昇率で減少させたときに、充電電力が目標充電電力以下とならない場合には、現在の充電電力を上昇率で減少させた充電電力を要求する制御信号を充電制御コントローラ１４に送信する。
【００７２】
以上のように、本実施の形態は、バッテリ３の充電電力が目標充電電力に達するまでの充電電力の上昇率をバッテリ３の状態に応じて決定することにより、充電電力が目標充電電力に達するまでに時間がかかることを防止するため、ユーザに対する利便性の低下を防止する。
【００７３】
また、本実施の形態は、バッテリ３の充電電力が目標充電電力に達するまでの充電電力の上昇率をバッテリ３の状態に応じて決定することにより、バッテリ３の特性が低下したときに、各セル２に所定値を超えた電圧がかかることを防止するため、バッテリ３の劣化を抑制することができる。
【００７４】
したがって、本実施の形態は、バッテリ３の劣化を抑制するとともに、ユーザに対する利便性の低下を防止することができる。
【００７５】
また、本実施の形態は、バッテリ３の複数箇所の温度のうち最低の温度に応じて充電電力の上昇率を決定するため、バッテリ３の温度が低下した場合に、各セル２に過剰な電圧をかけてしまうことを防止することができる。
【００７６】
また、本実施の形態は、各セル２にかけられている電圧のうち最大の電圧に応じて充電電力の上昇率を決定するため、高い電圧が既にかけられているセル２に対して、過剰な電圧をかけてしまうことを防止することができる。
【００７７】
また、本実施の形態は、バッテリ３の内部抵抗が相対的に高い場合に、各セル２に過剰な電圧をかけてしまうことを防止することができるとともに、バッテリ３の内部抵抗が相対的に低い場合に、充電時間が長くなることを防ぎ、ユーザに対する利便性の低下を防止することができる。
【００７８】
また、本実施の形態は、バッテリ３の残存容量が多い場合に、各セル２に過剰な電圧をかけてしまうことを防止することができるとともに、バッテリ３の残存容量が少ない場合に、充電時間が長くなることを防ぎ、ユーザに対する利便性の低下を防止することができる。
【００７９】
また、本実施の形態は、各セル２に供給される充電電力の上昇率うち最小の上昇率で各セル２に充電電力を供給するため、各セル２に過剰な電圧をかけてしまうことを防止することができる。
【００８０】
また、本実施の形態は、バッテリ３の充電電力が目標充電電力を超えた場合に、バッテリ３の充電電力を減少させるように上昇率を決定するため、バッテリ３の充電電力が目標充電電力を超えたとしても、各セル２にかかる電圧を所定圧に抑制することができる。これにより、本実施の形態は、各セル２に過剰な電圧をかけてしまうことを防止することができる。
【００８１】
なお、本実施の形態においては、車両制御コントローラ５が充電電力の上昇率を決定し、決定した充電電力の上昇率で充電電力を目標充電電力になるまで変化させながらバッテリ３を充電するように充電制御コントローラ１４を制御する例について説明した。
【００８２】
これに対し、本発明においては、車両制御コントローラ５が充電電流の上昇率を決定し、決定した充電電流の上昇率で充電電流を目標充電電流になるまで変化させながらバッテリ３を充電するように充電制御コントローラ１４を制御するようにしてもよい。
【００８３】
また、本実施の形態においては、車両制御コントローラ５のＲＯＭには、バッテリ３の温度、バッテリ３にかかっている電圧、バッテリ３の内部抵抗及びバッテリ３のＳＯＣと、充電電力の上昇率とが対応付けられた上昇率マップが格納され、車両制御コントローラ５は、バッテリ３が充電されているときに、上昇率マップを参照して充電電力の上昇率を決定し、決定した上昇率で充電電力を変化させることを要求する制御信号を充電制御コントローラ１４に送信するものとして説明した。
【００８４】
これに対し、本発明においては、車両制御コントローラ５のＲＯＭには、バッテリ３の温度、バッテリ３にかかっている電圧、バッテリ３の内部抵抗及びバッテリ３のＳＯＣと、充電電力の上昇率とがそれぞれ対応付けられた複数の上昇率マップが格納され、車両制御コントローラ５は、バッテリ３が充電されているときに、複数の上昇率マップを参照して充電電力の上昇率をそれぞれ決定し、決定した上昇率のうち最小の上昇率で充電電力を変化させることを要求する制御信号を充電制御コントローラ１４に送信するようにしてもよい。
【００８５】
また、本実施の形態においては、充電回路１３及び充電制御コントローラ１４が充電スタンド１１に設けられている例について示したが、充電回路１３及び充電制御コントローラ１４は、充電制御装置が備えるようにしてもよい。
【００８６】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【００８７】
１  車両
２  セル（電池）
３  バッテリ（蓄電装置）
１１  充電スタンド（充電装置）
２０  温度検出部
２１  電圧計測部
２２  残存容量推定部
２３  内部抵抗推定部
２５  上昇率決定部
２６  制御部
【図１】
2015228755.tif 000003
【図２】
2015228755.tif 000004
【図３】
2015228755.tif 000005
【図４】
2015228755.tif 000006